(57)【要約】【課題】枕本来の利点である人間の骨格や血流を考慮した利点を損なわず且つ東洋医学の人間の気の流れを循環させる体勢を無理なく持続出来ることを助勢し且つリラクセーション効果及びストレス解消を可能にする。【解決手段】頸部を支える点（２２）を存在させた枕（２）の左右両側に枕（２）との高さがほぼ相当し、両肘が載置可能となり且つ合成樹脂等を利用したウレタン等の弾力性のある材質で構成された肘載置部（３，３）を備え、枕（２）を包む袋に備える枕接合部位（２１，２１）と肘載置部（３，３）を包む袋に備える肘載置部接合部位（３１、３１）を設け、さらにリラクセーション効果及びストレス解消をし得る物質（４）を介在させる。【選択図】図１
0003114772.tif 000002
【実用新案登録請求の範囲】
【請求項１】
仰臥し両手を額に載せた時に、頸部を支える点（２２）を存在させた枕（２）の左右両側に枕（２）との高さがほぼ相当し、両肘が載置可能となり且つ合成樹脂等を利用したウレタン等の弾力性のある材質で構成された肘載置部（３，３）を備えたことを特徴とする肘載せ付き枕（１）である。
【請求項２】
枕（２）を包む袋に備える枕接合部位（２１，２１）と肘載置部（３，３）を包む袋に備える肘載置部接合部位（３１、３１）が、枕（２）と肘載置部（３，３）を、容易に脱着でき分離可能とした機能を有し且つ肘載置部（３，３）の設置場所の角度を自由に変え、枕（２）に対し垂直に設置したり、ハ型に設置するなど、使用形態を変化させれることを特徴とする肘載せ付き枕（１）である。
【請求項３】
枕（２）と肘載置部（３、３）のこれらを包む袋との間に、竹炭、磁気、トルマリン等のリラクセーション効果及びストレス解消をし得る物質（４）を介在可能としたことを特徴とする肘載せ付き枕（１）である。
【考案の詳細な説明】
【技術分野】
【０００１】  本考案は、枕に関するものである。
【背景技術】
【０００２】  従来においても、枕の種類は多く開発されているが、頸部・頭部の骨格や血流を考慮したものばかりで、人間の気の循環をめぐらせる目的に合ったものがなかった。【０００３】  そこで、実用新案文献１では、目的は異なるが、ほぼ倒Ｖ字状の頭部、両肩部及び両肘部が載置し得る形状を提案されている。しかし、この場合は、倒Ｖ字形状枕でＶ字の鋭角内部には頸部を支える点が存在せず、頭部が肩の高さよりも沈んでしまい、本来の頸部・頭部の骨格や血流を考慮した枕の利点を欠乏させ、逆に頸部を圧迫させている。また、倒Ｖ字形一体型枕になっている為、枕の形状は固定しているから、頭部載置部と肘載置部との距離は一定となり、人それぞれの肩幅や上腕の長さに合わせた位置調整が不可能であり、全ての人に適した形状ではないのが現状である。
【実用新案文献１】
実用登録３００１２５２
【考案の開示】
【考案が解決しようとする課題】
【０００４】  本考案は、上記の事情に鑑みてなされたもので、枕本来の利点である人間の骨格や血流を考慮した利点を損なわず且つ東洋医学の人間の気の流れを循環させる体勢を無理なく持続出来ることを助勢し且つリラクセーション効果、及びストレス解消を提供することを目的としたものである。
【課題を解決するための手段】
【０００５】  本考案は、上記の目的を達成するものであって、請求項１の考案は、仰臥し両手を額に載せた時に、頸部を支える点（２２）を存在させた枕（２）の左右両側に枕（２）との高さがほぼ相当し、両肘が載置可能となり且つ合成樹脂等を利用したウレタン等の弾力性のある材質で構成された肘載置部（３，３）を備えたことを特徴とする肘載せ付き枕（１）である。【０００６】  請求項２の考案は、枕（２）を包む袋に備える枕接合部位（２１，２１）と肘載置部（３，３）を包む袋に備える肘載置部接合部位（３１、３１）が、枕（２）と肘載置部（３，３）を、容易に脱着でき分離可能とした機能を有し且つ肘載置部（３，３）の設置場所の角度を自由に変え、枕（２）に対し垂直に設置したり、ハ型に設置するなど、使用形態を変化させれることを特徴とする肘載せ付き枕（１）である。【０００７】  請求項３の考案は、枕（２）と肘載置部（３）のこれらを包む袋との間に、竹炭、磁気、トルマリン等のリラクセーション効果及びストレス解消をし得る物質（４）を介在可能としたことを特徴とする肘載せ付き枕（１）である。
【考案の効果】
【０００８】  本考案の請求項１によれば、頸部を支える点（２２）を枕（２）に有するから頸部・頭部の骨格や血流を害することなく、さらに枕（２）と肘載置部（３，３）の高さがほぼ相当する形状により、頭部が肩の高さよりも沈まず且つ東洋医学の人間の気の流れを循環させる体勢を無理なく持続出来る利点を有する。【０００９】  本考案の請求項２によれば、枕（２）と肘載置部（３，３）にそれぞれ接合可能となる付属部位を設けることにより、枕（２）と肘載置部（３，３）との設置角度を自由に変えることが可能となり、人それぞれの人体の体型に合わせることを可能とし、誰にでも不快感を与えることなく楽な体勢で仰臥することを可能としたものである。【００１０】  本考案の請求項３によれば、枕（２）と肘載置部（３，３）を包む袋との間に、リラクセーション効果及びストレス解消をし得る物質（４）を介在させることで、仰臥しながら、人体に近い位置からリラクセーション効果を与えることを可能としたものである。
【考案を実施するための最良の形態】
【００１１】  以下、本考案をその実施例である図面にしたがって具体的に説明する。
図１、図２、図６において、（１）は本発明の肘載せ付き枕であって、当該肘載せ付き枕（１）は、主として枕（２）と肘載置部（３、３）で形成されてなるものである。【００１２】  枕（２）は、図１，図２に示すように、枕（２）を包む袋に備えた紐などの枕接合部位（２１，２１）を有する枕であって、肘載置部（３、３）との脱着を可能とする部位を有することが可能であり、枕本体と枕接合部位（２１，２１）を備えた枕本体を包む袋とで構成されてなるものである。【００１３】  肘載置部（３、３）は、枕（２）の高さとほぼ相当する高さを持ち、矩形、又は、図２に示すように、外側（３２）から内側（３３）へ漸減する厚さを有した形状、図３〜図５に示すように、円筒状・三角形状・バナナ形等でも可能である。また、肘載置部（３、３）は、図１，２に示すように、肘載置部（３，３）を包む袋に備えた紐などの肘載置部接合部位（３１，３１）を有する肘載置部であって、枕（２）との脱着を可能とする部位を有することが可能であり、肘載置部本体と肘載置部部位（３１，３１）を備えた肘載置部本体を包む袋とで構成されてなるものである。【００１４】  図７に示すように、竹炭、磁気、トルマリン等のリラクセーション効果及びストレス解消をし得る物質（４）は、枕（２）及び肘載置部（３、３）とこれらを包む袋との間に介在しても良い。
【図面の簡単な説明】
【００１５】
【図１】本考案の肘載せ付き枕の斜視図である。
【図２】枕（２）と肘載置部（３）の分離した斜視図である。
【図３】肘載置部（３，３）を円形状にした斜視図である。
【図４】肘載置部（３，３）を三角形状にした斜視図である。
【図５】肘載置部（３，３）をバナナ形状にした斜視図である。
【図６】他の実施例の肘載せ付き枕の正面図である。
【図７】リラクセーション効果、及びストレス解消をし得る物質（４）の介入実施例である。
【符号の説明】
【００１６】１    肘載せ付き枕
２    枕
２１  枕接合部位
２２  頸部を支える点
３    肘載置部
３１  肘載置部接合部位
３２  外側
３３  内側
４    リラクセーション効果及びストレス解消をし得る物質
５    ウレタン樹脂
【図１】
0003114772.tif 000003
【図２】
0003114772.tif 000004
【図３】
0003114772.tif 000005
【図４】
0003114772.tif 000006
【図５】
0003114772.tif 000007
【図６】
0003114772.tif 000008
【図７】
0003114772.tif 000009
【手続補正書】
【提出日】平成17年6月29日(2005.6.29)
【手続補正１】
【補正対象書類名】明細書
【補正対象項目名】全文
【補正方法】変更
【補正の内容】
【考案の詳細な説明】
【実用新案登録請求の範囲】
【請求項１】
仰臥し両手を額に載せた時に、頸部を支える点（２２）を存在させた枕（２）の左右両側に枕（２）との高さがほぼ相当し、両肘が載置可能となり且つ合成樹脂等を利用したウレタン等の弾力性のある材質で構成された肘載置部（３，３）を備えたことを特徴とする肘載せ付き枕（１）である。
【請求項２】
枕（２）を包む袋に備える枕接合部位（２１，２１）と肘載置部（３，３）を包む袋に備える肘載置部接合部位（３１、３１）が、枕（２）と肘載置部（３，３）を、容易に脱着でき分離可能とした機能を有し且つ肘載置部（３，３）の設置場所の角度を自由に変え、枕（２）に対し垂直に設置したり、ハ型に設置するなど、使用形態を変化させれることを特徴とする請求項１記載の肘載せ付き枕。
【請求項３】
枕（２）と肘載置部（３、３）のこれらを包む袋との間に、竹炭、磁気、トルマリン等のリラクセーション効果及びストレス解消をし得る物質（４）を介在可能としたことを特徴とする請求項１及び請求項２記載の肘載せ付き枕。
【技術分野】
【０００１】  本考案は、枕に関するものである。
【背景技術】
【０００２】  従来においても、枕の種類は多く開発されているが、頸部・頭部の骨格や血流を考慮したものばかりで、人間の気の循環をめぐらせる目的に合ったものがなかった。【０００３】  そこで、実用新案文献１では、目的は異なるが、ほぼ倒Ｖ字状の頭部、両肩部及び両肘部が載置し得る形状を提案されている。しかし、この場合は、倒Ｖ字形状枕でＶ字の鋭角内部には頸部を支える点が存在せず、頭部が肩の高さよりも沈んでしまい、本来の頸部・頭部の骨格や血流を考慮した枕の利点を欠乏させ、逆に頸部を圧迫させている。また、倒Ｖ字形一体型枕になっている為、枕の形状は固定しているから、頭部載置部と肘載置部との距離は一定となり、人それぞれの肩幅や上腕の長さに合わせた位置調整が不可能であり、全ての人に適した形状ではないのが現状である。
【実用新案文献１】
実用登録３００１２５２
【考案の開示】
【考案が解決しようとする課題】
【０００４】  本考案は、上記の事情に鑑みてなされたもので、枕本来の利点である人間の骨格や血流を考慮した利点を損なわず且つ東洋医学の人間の気の流れを循環させる体勢を無理なく持続出来ることを助勢し且つリラクセーション効果、及びストレス解消を提供することを目的としたものである。
【課題を解決するための手段】
【０００５】  本考案は、上記の目的を達成するものであって、請求項１の考案は、仰臥し両手を額に載せた時に、頸部を支える点（２２）を存在させた枕（２）の左右両側に枕（２）との高さがほぼ相当し、両肘が載置可能となり且つ合成樹脂等を利用したウレタン等の弾力性のある材質で構成された肘載置部（３，３）を備えたことを特徴とする肘載せ付き枕（１）である。【０００６】  請求項２の考案は、枕（２）を包む袋に備える枕接合部位（２１，２１）と肘載置部（３，３）を包む袋に備える肘載置部接合部位（３１、３１）が、枕（２）と肘載置部（３，３）を、容易に脱着でき分離可能とした機能を有し且つ肘載置部（３，３）の設置場所の角度を自由に変え、枕（２）に対し垂直に設置したり、ハ型に設置するなど、使用形態を変化させれることを特徴とする請求項１記載の肘載せ付き枕。【０００７】  請求項３の考案は、枕（２）と肘載置部（３）のこれらを包む袋との間に、竹炭、磁気、トルマリン等のリラクセーション効果及びストレス解消をし得る物質（４）を介在可能としたことを特徴とする請求項１及び請求項２記載の肘載せ付き枕。
【考案の効果】
【０００８】  本考案の請求項１によれば、頸部を支える点（２２）を枕（２）に有するから頸部・頭部の骨格や血流を害することなく、さらに枕（２）と肘載置部（３，３）の高さがほぼ相当する形状により、頭部が肩の高さよりも沈まず且つ東洋医学の人間の気の流れを循環させる体勢を無理なく持続出来る利点を有する。【０００９】  本考案の請求項２によれば、枕（２）と肘載置部（３，３）にそれぞれ接合可能となる付属部位を設けることにより、枕（２）と肘載置部（３，３）との設置角度を自由に変えることが可能となり、人それぞれの人体の体型に合わせることを可能とし、誰にでも不快感を与えることなく楽な体勢で仰臥することを可能としたものである。【００１０】  本考案の請求項３によれば、枕（２）と肘載置部（３，３）を包む袋との間に、リラクセーション効果及びストレス解消をし得る物質（４）を介在させることで、仰臥しながら、人体に近い位置からリラクセーション効果を与えることを可能としたものである。
【考案を実施するための最良の形態】
【００１１】  以下、本考案をその実施例である図面にしたがって具体的に説明する。
図１、図２、図６において、（１）は本発明の肘載せ付き枕であって、当該肘載せ付き枕（１）は、主として枕（２）と肘載置部（３、３）で形成されてなるものである。【００１２】  枕（２）は、図１，図２に示すように、枕（２）を包む袋に備えた紐などの枕接合部位（２１，２１）を有する枕であって、肘載置部（３、３）との脱着を可能とする部位を有することが可能であり、枕本体と枕接合部位（２１，２１）を備えた枕本体を包む袋とで構成されてなるものである。【００１３】  肘載置部（３、３）は、枕（２）の高さとほぼ相当する高さを持ち、矩形、又は、図２に示すように、外側（３２）から内側（３３）へ漸減する厚さを有した形状、図３〜図５に示すように、円筒状・三角形状・バナナ形等でも可能である。また、肘載置部（３、３）は、図１，２に示すように、肘載置部（３，３）を包む袋に備えた紐などの肘載置部接合部位（３１，３１）を有する肘載置部であって、枕（２）との脱着を可能とする部位を有することが可能であり、肘載置部本体と肘載置部部位（３１，３１）を備えた肘載置部本体を包む袋とで構成されてなるものである。【００１４】  図７に示すように、竹炭、磁気、トルマリン等のリラクセーション効果及びストレス解消をし得る物質（４）は、枕（２）及び肘載置部（３、３）とこれらを包む袋との間に介在しても良い。
【図面の簡単な説明】
【００１５】
【図１】本考案の肘載せ付き枕の斜視図である。
【図２】枕（２）と肘載置部（３）の分離した斜視図である。
【図３】肘載置部（３，３）を円形状にした斜視図である。
【図４】肘載置部（３，３）を三角形状にした斜視図である。
【図５】肘載置部（３，３）をバナナ形状にした斜視図である。
【図６】他の実施例の肘載せ付き枕の正面図である。
【図７】リラクセーション効果、及びストレス解消をし得る物質（４）の介入実施例である。
【符号の説明】
【００１６】１    肘載せ付き枕
２    枕
２１  枕接合部位
２２  頸部を支える点
３    肘載置部
３１  肘載置部接合部位
３２  外側
３３  内側
４    リラクセーション効果及びストレス解消をし得る物質
５    ウレタン樹脂